(57)【要約】【課題】照明設計の自由度の向上を図りやすい、光制御システム及び照明システムを提供することを目的とする。【解決手段】光制御システム１は、屋内空間Ａ１に配置された植物Ｐ１に光を照射するためのシステムである。光制御システム１は、１以上の反射部材３を備える。１以上の反射部材３は、照明装置２及び植物Ｐ１のいずれよりも上方に配置されており、照明装置２からの光を植物Ｐ１に向けて反射光Ｌ２として反射する。光制御システム１は、反射光Ｌ２に対して、配光、光束及びスペクトルのうちの少なくとも１つを変化させる光制御を行い、光制御された反射光Ｌ２を植物Ｐ１に照射する。【選択図】図１
2020156432.tif 000002
【特許請求の範囲】
【請求項１】
屋内空間に配置された植物に光を照射するための光制御システムであって、
照明装置及び前記植物のいずれよりも上方に配置されており、前記照明装置からの光を前記植物に向けて反射光として反射する１以上の反射部材を備え、
前記反射光に対して、配光、光束及びスペクトルのうちの少なくとも１つを変化させる光制御を行い、前記光制御された前記反射光を前記植物に照射する、
光制御システム。
【請求項２】
前記１以上の反射部材の少なくとも１つは、天井に設置される、
請求項１に記載の光制御システム。
【請求項３】
前記光制御で変化させる対象は、前記配光、前記光束及び前記スペクトルのうちの２つ以上の中で切替可能である、
請求項１又は２に記載の光制御システム。
【請求項４】
前記１以上の反射部材は、それぞれが異なる前記光制御に対応した複数の反射面を有する構造体を含み、
前記１以上の反射部材は、前記複数の反射面のいずれかで光を反射する際に前記光制御を実行し、前記照明装置からの光を反射する面を前記複数の反射面の中で切り替えることにより、前記光制御で変化させる対象を切り替える、
請求項３に記載の光制御システム。
【請求項５】
前記１以上の反射部材が、光を反射する際に前記光制御を実行する、
請求項１〜３のいずれか１項に記載の光制御システム。
【請求項６】
前記光制御で前記スペクトルを変化させる場合、前記反射光について、赤色光の放射エネルギーが、白色光の放射エネルギーの１／２以下となるように、前記スペクトルを変化させる、
請求項１〜５のいずれか１項に記載の光制御システム。
【請求項７】
前記屋内空間は、前記植物が配置される植物エリアと、前記植物エリアとは別に人が存在する人エリアと、を含んでおり、
前記植物エリアと前記人エリアとのうち前記植物エリアに照射する前記反射光についてのみ前記光制御を行う、
請求項１〜６のいずれか１項に記載の光制御システム。
【請求項８】
請求項１〜７のいずれか１項に記載の光制御システムと、
前記照明装置と、を備える、
照明システム。
【請求項９】
前記照明装置は、前記１以上の反射部材に対して出力する光について調光制御を行う、
請求項８に記載の照明システム。
【請求項１０】
前記照明装置は、前記屋内空間の環境に関する環境情報と、前記光制御の実行状況に関する制御情報と、の少なくとも一方に応じて、調光制御を行う、
請求項８又は９に記載の照明システム。
【発明の詳細な説明】
【技術分野】
【０００１】
本開示は、一般に光制御システム及び照明システムに関し、より詳細には、屋内空間に配置された植物に光を照射するための光制御システム及び照明システムに関する。
【背景技術】
【０００２】
特許文献１には、植物に光を照射することが可能な発光体モジュールが基板に配置された照明装置が記載されている。この照明装置（育成装置）は、ビニールハウス内に用いられ、植物（栽培植物）の上方に必要な数だけ配置される。照明装置は、支持機構によって植物の上方に天井（屋根）から吊り下げられる形で支持されている。
【０００３】
発光体モジュールは、第１の波長域の光を発光する第１のＬＥＤ発光素子と、第２の波長域の光を発光する第２のＬＥＤ発光素子と、を有している。発光体モジュールは、あるタイミングに、第１のＬＥＤ発光素子が発光することによる光を植物に照射し、第２のＬＥＤ発光素子が発光する光を植物に照射し、又は、第１のＬＥＤ発光素子及び第２のＬＥＤ発光素子が発光することによる光を植物に照射する。
【先行技術文献】
【特許文献】
【０００４】
【特許文献１】特開２００９−１２５００７号公報
【発明の概要】
【発明が解決しようとする課題】
【０００５】
特許文献１に記載されている照明装置は、植物の育成用に設計された専用装置であり、このような専用の照明装置を、植物の上方に設置しなければならないため、照明設計の自由度の向上を図ることが困難である。
【０００６】
本開示は、上記事由に鑑みてなされており、照明設計の自由度の向上を図りやすい、光制御システム及び照明システムを提供することを目的とする。
【課題を解決するための手段】
【０００７】
本開示の一態様に係る光制御システムは、屋内空間に配置された植物に光を照射するためのシステムである。前記光制御システムは、１以上の反射部材を備える。前記１以上の反射部材は、照明装置及び前記植物のいずれよりも上方に配置されており、前記照明装置からの光を前記植物に向けて反射光として反射する。前記光制御システムは、前記反射光に対して、配光、光束及びスペクトルのうちの少なくとも１つを変化させる光制御を行い、前記光制御された前記反射光を前記植物に照射する。
【０００８】
本開示の一態様に係る照明システムは、前記光制御システムと、前記照明装置と、を備える。
【発明の効果】
【０００９】
本開示によれば、照明設計の自由度の向上を図りやすい、という利点がある。
【図面の簡単な説明】
【００１０】
【図１】図１Ａは、実施形態１に係る光制御システムが、通常モードで、植物に光を照射する様子を表す模式図である。図１Ｂは、同上の光制御システムが、広角モードで、植物に光を照射する様子を表す模式図である。図１Ｃは、同上の光制御システムが、減光モードで、植物に光を照射する様子を表す模式図である。
【図２】図２は、同上の光制御システムの使用例を示す概念図である。
【図３】図３は、実施形態１に係る照明システムの構成を、機能ごとにブロックに分けて模式的に表したシステム構成図である。
【図４】図４は、同上の光制御システムの外観を示す概略斜視図である。
【図５】図５Ａは、同上の光制御システムについて、カバーを外した状態で斜め上方から見た概略斜視図である。図５Ｂは、同上の光制御システムの反射部材に含まれる各構造体の構成を示す概略斜視図である。
【図６】図６Ａ〜図６Ｄは、同上の光制御システムの反射部材に含まれる各構造体の各反射面の機能を模式的に表す概略図である。
【図７】図７は、同上の照明システムの照明システムについて、人の視感度を考慮した出力光の特性を表すグラフである。
【図８】図８は、実施形態２に係る光制御システムが、広角モードで、植物に光を照射する様子を表す模式図である。
【発明を実施するための形態】
【００１１】
（実施形態１）
（１）概要
本実施形態に係る光制御システム１の概要について、図１Ａ〜図２を参照して説明する。
【００１２】
光制御システム１は、屋内空間Ａ１に配置された植物Ｐ１に光を照射するためのシステムである。近年、オフィス等の屋内空間Ａ１に観葉植物等の植物Ｐ１を取り入れた「屋内緑化」が注目されている。屋内緑化（室内緑化）により、屋内空間Ａ１でありながら、人は、植物Ｐ１と共に生活することができ、安らぎ及び癒し等の効果を得ることが可能である。このような屋内緑化に際しては、植物Ｐ１に光を照射する手段が重要である。
【００１３】
すなわち、屋内空間Ａ１においては、太陽光が直接的に照射する屋外に比べて、植物Ｐ１に照射する光の量が不足しやすく、植物Ｐ１の育成に必要な量の光を確保することが難しい。植物Ｐ１の育成に必要な量の光を確保できなければ、植物Ｐ１での光合成が不十分となり、植物Ｐ１の生育不良にもつながるので、植物Ｐ１に光を照射する手段は重要である。光制御システム１は、屋内空間Ａ１に配置された植物Ｐ１に光を照射することにより、植物Ｐ１の育成に必要な量の光の確保に貢献し、結果的に、屋内緑化の普及促進にも寄与する。
【００１４】
本実施形態に係る光制御システム１は、屋内空間Ａ１に配置された植物Ｐ１に光を照射するためのシステムであって、１以上の反射部材３を備えている。１以上の反射部材３は、照明装置２及び植物Ｐ１のいずれよりも上方に配置されている。１以上の反射部材３は、照明装置２からの光（出力光Ｌ１）を植物Ｐ１に向けて反射光Ｌ２として反射する。光制御システム１は、反射光Ｌ２に対して、配光、光束及びスペクトルのうちの少なくとも１つを変化させる光制御を行い、光制御された反射光Ｌ２を植物Ｐ１に照射する。
【００１５】
上述した構成によれば、照明装置２及び植物Ｐ１のいずれよりも上方に位置する１以上の反射部材３にて反射した反射光Ｌ２が植物Ｐ１に照射されるので、照明装置２自体は植物Ｐ１の上方になくても、植物Ｐ１に対して上方から光を照射することができる。しかも、光制御システム１にて適当な光制御が施された反射光Ｌ２が、植物Ｐ１に照射されるので、照明装置２自体は植物Ｐ１の育成用に設計された専用装置でなくても、植物Ｐ１の育成に適した光を、植物Ｐ１に照射することができる。要するに、光制御システム１によれば、照明装置２からの光を直接的に植物Ｐ１に照射する場合に比較して、照明装置２の配置及び仕様等についての自由度を高めることができ、照明設計の自由度の向上を図りやすくなる。
【００１６】
（２）詳細
以下、本実施形態に係る光制御システム１及び照明システム１０の詳細について、図１〜図７を参照して説明する。
【００１７】
（２．１）前提
本開示でいう「屋内空間」は、建物の中の空間を意味し、一例として、オフィス、店舗、学校、工場、福祉施設、病院又は植物栽培施設等の非住宅施設の内部の空間、及び戸建て住宅又は集合住宅等の住宅施設の内部の空間（居住空間）を含む。特に、屋内空間Ａ１は、人Ｈ１が存在する空間であって、人Ｈ１と植物Ｐ１とが人エリア（Ａ１２）する環境であることが好ましい。本実施形態では一例として、屋内空間Ａ１がオフィス（の内部空間）である場合について説明する。
【００１８】
本開示でいう「植物」は、生物群を大きく２つに区分した場合の動物に対置される一群である広義の植物であって、一般的に、その細胞には細胞壁があり、多くは光合成によって自力でエネルギーを生産し、運動の機能が無い生物である。植物Ｐ１は、花を付ける鉢物等、花を付けないハーブ類及び観葉植物等、コケ植物（コケ類）、野菜及び果物等も含む。本実施形態では一例として、植物Ｐ１が、パキラ、アレカヤシ、インドゴム又はアイビー等の観葉植物である場合について説明する。本実施形態では、１つの屋内空間Ａ１の複数箇所に、植物Ｐ１が分散して配置されている場合を想定する。１箇所に配置される植物Ｐ１が、複数種類の植物を含んでいてもよい。
【００１９】
本開示でいう「上方」は、単に上の方であることを意味し、真上（直上）には限らず、例えば、「ＡがＢよりも上方にある」という場合には、「Ａ」が「Ｂ」に比較して高い位置、つまり地面又は床面等の基準面からの距離が大きくなる位置にあればよい。すなわち、本実施形態に係る光制御システム１では、１以上の反射部材３は、照明装置２及び植物Ｐ１のいずれよりも上方に配置されているので、１以上の反射部材３は、照明装置２及び植物Ｐ１のいずれに比べても高い位置にある。
【００２０】
本開示でいう「光制御」は、配光、光束及びスペクトルのうちの少なくとも１つを変化させるような制御を意味する。つまり、光制御システム１は、反射光Ｌ２に対して光制御を行うことにより、反射光Ｌ２について、配光、光束及びスペクトルのうちの少なくとも１つを変化させる。光制御では、例えば、配光、光束及びスペクトルのいずれか１つのみを変化させてもよいし、配光、光束及びスペクトルのうちの２つ（配光及び光束、光束及びスペクトル、又は配光及びスペクトル）、又は配光、光束及びスペクトルの全部を変化させてもよい。
【００２１】
本開示でいう「配光」は、光源の空間に対する光度分布、つまり光源から出る光の空間的分布を意味する。そのため、反射光Ｌ２の配光が変化すると、植物Ｐ１に照射する光の空間的分布が変化する。例えば、配光が広角になるほど、植物Ｐ１に対して光が照射する範囲が広くなる。
【００２２】
本開示でいう「光束」は、ある面を単位時間に通過する光の量（明るさ）を表す物理量であって、その単位は「ｌｍ」である。そのため、反射光Ｌ２の光束が変化すると、植物Ｐ１に照射する光の量が変化する。例えば、光の吸収又は拡散（散乱）等により、植物Ｐ１に到達する光のエネルギー総量が減る「減光」では、光束は減少することになる。
【００２３】
本開示でいう「スペクトル」は、光における各波長成分の強度分布、つまり光スペクトルを意味する。そのため、反射光Ｌ２のスペクトルが変化すると、植物Ｐ１に照射する光の色（ドミナント波長）又はピーク波長が変化する。例えば、特定の波長成分の吸収又は拡散（散乱）等により、植物Ｐ１に到達する光のスペクトルは変化する。
【００２４】
（２．２）全体構成
次に、本実施形態に係る光制御システム１及び照明システム１０の構成について、図１Ａ〜図３を参照して説明する。
【００２５】
本実施形態に係る光制御システム１は、照明装置２と共に、照明システム１０を構成する。言い換えれば、本実施形態に係る照明システム１０は、光制御システム１と、照明装置２と、を備えている。すなわち、照明装置２は、照明システム１０の構成要素には含まれない。
【００２６】
照明システム１０は、屋内空間Ａ１の照度を確保するための一般的な照明システムとは異なり、屋内空間Ａ１に配置された植物Ｐ１に光を照射するためのシステムを構成する。照明システム１０は、光制御システム１及び照明装置２を少なくとも１つずつ備えていればよい。本実施形態では、照明システム１０は、光制御システム１及び照明装置２を１つずつ備えることと仮定する。
【００２７】
本実施形態では、上述したように１つの屋内空間Ａ１の複数箇所に、植物Ｐ１が分散して配置されている。図２の例では、屋内空間Ａ１の２箇所に、それぞれ植物Ｐ１が配置されている。照明システム１０は、各箇所に配置された植物Ｐ１に対して１つ設置されている。そのため、図２の例では、植物Ｐ１と同様に、屋内空間Ａ１の２箇所に、照明システム１０が設置されている。
【００２８】
ここで、照明装置２は、屋内空間Ａ１の床１０１に設置されている。照明装置２は、植物Ｐ１の周辺に配置されている。さらに、本実施形態では、植物Ｐ１は、床１０１に設置された机又は収納棚等の什器上に配置されている。言い換えれば、床１０１上には、植物Ｐ１と照明装置２とが相互に隣接するように設置されている。照明装置２は、床１０１に、自立した状態で据え置かれている。ここでは、照明装置２は、床１０１上に置かれているだけであって、床１０１に対して特に固定されていない。
【００２９】
照明装置２は、例えば、コンセント（Outlet）又は床下配線等により、電源に電気的に接続されている。本実施形態では一例として、照明装置２は、分電盤等を介して系統電源に電気的に接続される。これにより、照明装置２は、系統電源から交流１００Ｖの電力供給を受けて動作する。
【００３０】
一方、光制御システム１は、屋内空間Ａ１の天井１０２に設置されている。光制御システム１は、植物Ｐ１の上方に配置されている。より詳細には、光制御システム１は、植物Ｐ１の真上（直上）ではなく、床１０１における植物Ｐ１と照明装置２との間の領域の真上（直上）に配置されている。光制御システム１は、その全体を露出させた状態で天井１０２に取り付けられている。ここでは、光制御システム１は、ねじ止め、接着又はマグネット等の適宜の手段により、天井１０２に固定されている。
【００３１】
ここで、光制御システム１は、上述したように、１以上の反射部材３を備えている。そして、このように反射部材３を備える光制御システム１が、天井１０２に設置されているので、１以上の反射部材３の少なくとも１つは、天井１０２に設置されることになる。本実施形態では、光制御システム１は、反射部材３を１つのみ備えている。したがって、全ての反射部材３が、天井１０２に設置されることになる。
【００３２】
以上説明したような光制御システム１及び照明装置２の配置により、天井１０２に設置された光制御システム１の反射部材３は、床１０１に設置された照明装置２及び植物Ｐ１のいずれよりも上方に配置されることになる。そして、照明システム１０では、照明装置２からの光（出力光Ｌ１）を、光制御システム１の反射部材３にて、植物Ｐ１に向けて反射光Ｌ２として反射することが可能である。すなわち、床１０１に設置された照明装置２は、天井１０２に設置された光制御システム１に向けて出力光Ｌ１を出力するように、光の出射方向を上方に向けて設置されている。光制御システム１は、照明装置２からの光（出力光Ｌ１）を、反射部材３で下方に向けて反射することで、反射光Ｌ２を、床１０１に設置された植物Ｐ１に上方から照射する。
【００３３】
また、本実施形態では、光制御システム１は、その動作に電力（電気エネルギー）を必要としない。そのため、光制御システム１に対しては、特に給電は行われない。
【００３４】
図３は、本実施形態に係る照明システム１０の構成を、機能ごとにブロックに分けて模式的に表したシステム構成図である。図３に示すように、屋内空間Ａ１は、植物Ｐ１が配置される植物エリアＡ１１と、植物エリアＡ１１とは別に人Ｈ１が存在する人エリアＡ１２と、を含んでいる。詳しくは後述するが、光制御システム１は、植物エリアＡ１１と人エリアＡ１２とのうち植物エリアＡ１１に照射する反射光Ｌ２についてのみ光制御を行う。
【００３５】
照明装置２は、図３に示すように、光源部２１と、点灯回路２２と、検知部２３と、を備えている。
【００３６】
光源部２１は、点灯回路２２から電力が供給されることで発光する。光源部２１は、第１発光素子２１１及び第２発光素子２１２を有している。第１発光素子２１１及び第２発光素子２１２は、互いに発光色（ピーク波長）が異なる発光素子である。光源部２１は、このような第１発光素子２１１及び第２発光素子２１２を、それぞれ複数有している。これら第１発光素子２１１及び第２発光素子２１２の両方が発光することで、照明装置２からは、第１発光素子２１１からの光と第２発光素子２１２からの光とが混合（合成）されて、出力光Ｌ１として出力される。本実施形態では一例として、第１発光素子２１１及び第２発光素子２１２は、いずれも発光ダイオード（ＬＥＤ：Light Emitting Diode）を含んでいる。
【００３７】
第１発光素子２１１は、白色光を出力する発光素子である。第１発光素子２１１は、例えば、青色発光ダイオードと黄色蛍光体との組合せ、青色発光ダイオードと緑色及び赤色蛍光体との組合せ、又は紫外線発光ダイオードと青色、緑色及び赤色蛍光体との組合せ等で実現される。つまり、これらの組み合わせによれば、発光ダイオードからの光と、蛍光体で波長変換された光との混色により、人Ｈ１が白色と感じ得る光が実現される。
【００３８】
第２発光素子２１２は、赤色光を出力する発光素子である。第２発光素子２１２は、例えば、発光のピーク波長が６００ｎｍ以上７００ｎｍ以下の範囲にある赤色発光ダイオードである。本実施形態では一例として、第２発光素子２１２は、６６０ｎｍ付近にピーク波長を有している。これにより、植物Ｐ１の花芽形成に大きく影響する光受容体（色素タンパク質）であるフィトクロム（赤色光吸収型）が吸収する赤色光（ピーク波長が６６０ｎｍ）の成分を、第２発光素子２１２から出力することができる。
【００３９】
点灯回路２２は、光源部２１を駆動して光源部２１を発光させる。光源部２１は、上述したように第１発光素子２１１及び第２発光素子２１２を有するので、点灯回路２２は、これら第１発光素子２１１及び第２発光素子２１２の両方を発光させる。
【００４０】
本実施形態では、点灯回路２２は、調光機能を有している。つまり、点灯回路２２は、光源部２１から出力される光の強度（明るさ）に相当する調光率を、所定範囲内で変化させることが可能である。一例として、最も明るいときの調光率を１００％とすると、点灯回路２２は、５％以上１００％以下の範囲で調光率を調節可能である。これにより、照明装置２は、１以上の反射部材３に対して出力する光（出力光Ｌ１）について調光制御を行う。本実施形態では特に、点灯回路２２は、第１発光素子２１１及び第２発光素子２１２の各々について、個別に調光率を調節可能である。
【００４１】
検知部２３は、屋内空間Ａ１の環境に関する検知を行う。つまり、検知部２３では、屋内空間Ａ１の環境に関する環境情報を取得可能である。本開示でいう「環境」は、屋内空間Ａ１の状態であって、特に、植物Ｐ１に作用し得る照度（明るさ）、人Ｈ１の存否、時間帯、気温、季節及び天候等を含んでいる。本実施形態では一例として、検知部２３は、照度センサ又は人感センサを含んでいる。これにより、検知部２３は、屋内空間Ａ１における照明装置２が設置された領域の照度と、その周辺の人Ｈ１の存否と、を検知可能である。
【００４２】
ここで、照明装置２は、屋内空間Ａ１の環境に関する環境情報と、光制御の実行状況に関する制御情報と、の少なくとも一方に応じて、調光制御を行う。本実施形態では、照明装置２は、屋内空間Ａ１の環境に関する環境情報に応じて、調光制御を行う。つまり、点灯回路２２は、検知部２３の検知結果（環境情報）に基づいて、調光制御を実行する。
【００４３】
また、本実施形態では、照明装置２は、光学系（レンズ等）、及び電源回路等を更に備えている。照明装置２は、電源から電力（電気エネルギー）の供給を受けて、光源部２１、点灯回路２２及び検知部２３を駆動する。
【００４４】
光制御システム１は、図３に示すように、反射部材３と、光制御部４と、切替部５と、を備えている。
【００４５】
反射部材３は、照明装置２からの出力光Ｌ１を、反射光Ｌ２として植物Ｐ１に向けて反射する。つまり、照明装置２から出力されて反射部材３に到達するまでの光が「出力光Ｌ１」であって、反射部材３で反射されて植物Ｐ１に到達するまでの光が「反射光Ｌ２」である。本実施形態では、反射部材３は光を反射するためのミラーを主構成とする。
【００４６】
ここで、反射部材３は、上述したように、照明装置２及び植物Ｐ１のいずれよりも上方に配置されている。そのため、反射部材３には下方から出力光Ｌ１が入射し、反射部材３は下方に向けて反射光Ｌ２を反射する。これにより、照明装置２から上方に向けて出力された光（出力光Ｌ１）が、反射部材３で下方に向けて反射され、反射光Ｌ２として植物Ｐ１に照射することになる。反射部材３について詳しくは、「（２．３）光制御システムの構成」の欄で説明する。
【００４７】
光制御部４は、反射光Ｌ２に対して、配光、光束及びスペクトルのうちの少なくとも１つを変化させる光制御を行う。つまり、光制御システム１は、反射光Ｌ２に対して光制御を行う機能を有している。これにより、反射部材３で反射されて植物Ｐ１に照射する反射光Ｌ２について、配光、光束及びスペクトルのうちの少なくとも１つを変化させることが可能である。
【００４８】
本実施形態では、１以上の反射部材３が、光を反射する際に光制御を実行する。つまり、反射部材３が光制御部４としての機能を兼ね備えるように、光制御部４は、反射部材３と一体化されている。具体的には、反射部材３の反射面の形状等により、反射部材３に光制御部４としての機能が付加される。光制御部４について詳しくは、「（２．３）光制御システムの構成」の欄で説明する。
【００４９】
切替部５は、光制御で変化させる対象（以下、「制御対象」ともいう）は、配光、光束及びスペクトルのうちの少なくとも２つ以上の中で切り替える。言い換えれば、光制御システム１においては、光制御で変化させる対象（制御対象）は、配光、光束及びスペクトルのうちの２つ以上の中で切替可能である。すなわち、光制御部４が行う光制御において、反射光Ｌ２の何を変化させるかは、切替部５にて切り替えることができる。本実施形態では一例として、切替部５は、人Ｈ１が切替部５を直接的に操作する手動操作に応じて、制御対象の切替えを実行する。そのため、切替部５は、人Ｈ１によって操作される操作部材５１（図４参照）を有している。
【００５０】
切替部５は、例えば、配光、光束及びスペクトルのうちの２つ（配光及び光束、光束及びスペクトル、又は配光及びスペクトル）の中で、制御対象を切り替えることが可能である。一例として、配光及び光束の中で制御対象を切り替える場合には、切替部５は、反射光Ｌ２の配光を変化させる状態と、反射光Ｌ２の光束を変化させる状態と、の間で光制御部４のモードを切り替える。あるいは、切替部５は、例えば、配光、光束及びスペクトルという３つの中で、制御対象を切り替えることが可能である。切替部５について詳しくは、「（２．３）光制御システムの構成」の欄で説明する。
【００５１】
（２．３）光制御システムの構成
次に、本実施形態に係る光制御システム１の構成について、図４〜図６Ｄを参照して、より詳細に説明する。
【００５２】
光制御システム１は、図４に示すように、筐体１１を備えている。反射部材３、光制御部４及び切替部５といった光制御システム１の構成要素は、１つの筐体１１に設けられている。そして、光制御システム１は、筐体１１が天井１０２に固定されることによって、天井１０２に取り付けられる。これにより、光制御システム１の全体が、天井１０２に設置されている。そのため、光制御システム１の構成要素である、反射部材３の少なくとも１つは、天井１０２に設置されることになる。
【００５３】
筐体１１は、図４に示すように、ベース１１１と、カバー１１２と、を有している。筐体１１は、一例として、合成樹脂製である。
【００５４】
ベース１１１は、矩形板状に形成されている。カバー１１２は、下面が開放された箱状に形成されており、その下面をベース１１１で覆うようにベース１１１と組み合わされる。このように組み合わされるベース１１１及びカバー１１２により、全体として薄箱状の筐体１１が構成される。筐体１１は、ベース１１１の下面を下方に向けた状態で、天井１０２に固定される。
【００５５】
ベース１１１には、開口孔１１３が形成されている。開口孔１１３は、平面視において矩形状であって、ベース１１１の一部を厚み方向（上下方向）に貫通する。この開口孔１１３を通して、反射部材３が筐体１１の下面から露出する。さらに、ベース１１１のうちの開口孔１１３に隣接する位置には、操作部材５１を露出させる孔が形成されている。この孔を通して、操作部材５１が筐体１１の下面から露出する。
【００５６】
図５Ａは、カバー１１２を外した状態の光制御システム１を、斜め上方から見た概略斜視図である。図５Ａに示すように、反射部材３は、ベース１１１に保持されている。反射部材３は、構造体３１を含んでいる。本実施形態では、反射部材３は、複数（ここでは９つ）の構造体３１を含んでいる。各構造体３１は、それぞれ立方体状に形成されている。各構造体３１の表面が反射面として機能することで、反射部材３は、各構造体３１の表面にて照明装置２からの光（出力光Ｌ１）を反射する。
【００５７】
９つの構造体３１は、３つを１組として３組に分割される。各組の３つの構造体３１は、水平面に略平行な横方向に沿って一列に並んでいる。さらに、３組の構造体３１は、水平面に略平行な方向であって、横方向と直交する縦方向に沿って並んでいる。これにより、９つの構造体３１は、水平面内において、横方向及び縦方向の各方向に沿って２次元配置されることになる。
【００５８】
ベース１１１は、ベース１１１の上面上における、各組の３つの構造体３１の並び方向（横方向）の両側に、２つ１組の軸受部１２を有している。各組の２つの軸受部１２間には、回転軸１３が架け渡されており、回転軸１３は回転可能な状態で各組の２つの軸受部１２に支持されている。回転軸１３は、各組の３つの構造体３１を貫通した状態で保持している。これにより、各組の３つの構造体３１は、１本の回転軸１３にて串刺しにされるように連結されており、この状態で各組の２つの軸受部１２間に支持されることになる。さらに、回転軸１３の一端部には歯車１４が設けられている。
【００５９】
また、ベース１１１は、ベース１１１の上面上における、開口孔１１３の縦方向の側方に、横方向に対向する一対の操作軸受部１５を有している。一対の操作軸受部１５間には、操作回転軸１６が架け渡されており、操作回転軸１６は回転可能な状態で一対の操作軸受部１５に支持されている。操作回転軸１６は、円盤状に形成された操作部材５１を貫通した状態で保持している。これにより、操作部材５１は、１本の操作回転軸１６にて串刺しにされた状態で、一対の操作軸受部１５間に支持されることになる。さらに、操作回転軸１６の一端部には操作歯車１７が設けられている。
【００６０】
ここで、操作歯車１７の回転力が３つの歯車１４に伝達されるように、操作歯車１７と３つの歯車１４とは、ベルト１８によってつながっている。図５Ａでは、ベルト１８を想像線（２点鎖線）で示している。具体的には、操作歯車１７及び３つの歯車１４には、歯付ベルト（Cogged Belt）からなるベルト１８が掛け回されている。これにより、操作歯車１７が回転すると、操作歯車１７の回転力がベルト１８を介して３つの歯車１４に伝達される。
【００６１】
上述した構成によれば、操作部材５１が回転すると、その回転力が操作回転軸１６、操作歯車１７、歯車１４、回転軸１３を介して構造体３１に伝達される。そのため、操作部材５１が回転すると、その回転に合わせて、複数の構造体３１が一斉に回転することになる。このとき、複数の構造体３１の各々は、回転軸１３を中心として回転する。
【００６２】
ここにおいて、反射部材３に含まれる各構造体３１は、図５Ｂに示すように、複数（ここでは４つ）の反射面３１１〜３１４を有している。複数の反射面３１１〜３１４は、それぞれが異なる光制御に対応している。そして、反射部材３は、複数の反射面３１１〜３１４のいずれかで光を反射する際に光制御を実行し、照明装置２からの光（出力光Ｌ１）を反射する面を複数の反射面３１１〜３１４の中で切り替えることにより、光制御で変化させる対象を切り替える。つまり、反射部材３は、照明装置２に向ける面を複数の反射面３１１〜３１４間で切り替えることにより、照明装置２からの光（出力光Ｌ１）を反射する面を切り替えて、制御対象を切り替えることが可能である。
【００６３】
すなわち、本実施形態では、上述したように反射部材３が光制御部４としての機能を兼ね備えているのであって、反射部材３の反射面の形状等により、反射部材３に光制御部４としての機能が付加される。そして、反射部材３に含まれる構造体３１は、複数の反射面３１１〜３１４のそれぞれが異なる光制御の機能に対応する。つまり、例えば、「配光」という光制御に対応する反射面３１１〜３１４で反射した場合、光制御で変化させる対象（制御対象）は「配光」となる。一方、「光束」という光制御に対応する反射面３１１〜３１４で反射した場合、光制御で変化させる対象（制御対象）は「光束」となる。そのため、反射部材３が、照明装置２からの光（出力光Ｌ１）を反射する面を複数の反射面３１１〜３１４の中で切り替えることにより、光制御で変化させる対象（制御対象）は切り替わることになる。
【００６４】
本実施形態では、立方体（正六面体）からなる構造体３１のうち、回転軸１３が貫通する軸孔３１５が開口する２面を除く４面が、複数の反射面３１１〜３１４を構成する。そのため、上述したように複数の構造体３１の各々が、回転軸１３を中心として回転することで、開口孔１１３を通して筐体１１の下面から露出する構造体３１の面が、複数の反射面３１１〜３１４の間で切り替わることになる。図５Ａの例では、操作部材５１が矢印Ｒ１の向きに回転することで、構造体３１も操作部材５１と同じ向きに回転するので、筐体１１の下面から露出する面は、反射面３１１，３１２，３１３，３１４の順で切り替わることになる。さらに、操作部材５１を回転させることで、筐体１１の下面から露出する反射面の向き（水平面に対する傾斜角度）についても、調節可能である。
【００６５】
図６Ａ〜図６Ｄは、各反射面３１１〜３１４の機能を模式的に表す概略図である。ここでは一例として、反射面３１１は光制御の機能なし、反射面３１２は「配光」、反射面３１３は「配光」、反射面３１４は「光束」のそれぞれを変化させる光制御の機能を有することと仮定する。
【００６６】
すなわち、反射面３１１は、図６Ａに示すように、平面鏡であって、入射した出力光Ｌ１と同等の配光角θ１１の反射光Ｌ２を生じる。この反射面３１１は、光の略全ての波長成分を反射しており、出力光Ｌ１に対する反射光Ｌ２の光束の変化（減少等）、及びスペクトルの変化は略生じない。
【００６７】
反射面３１２は、図６Ｂに示すように、凸面鏡であって、入射した出力光Ｌ１に比べて広角となる配光角θ１２（θ１２＞θ１１）の反射光Ｌ２を生じる。よって、この反射面３１２では、反射光Ｌ２について、「配光」を変化させる光制御が行われる。この反射面３１２は、光の略全ての波長成分を反射しており、出力光Ｌ１に対する反射光Ｌ２の光束の変化（減少等）、及びスペクトルの変化は略生じない。
【００６８】
反射面３１３は、図６Ｃに示すように、凸面鏡であって、入射した出力光Ｌ１に比べて広角となる配光角θ１３（θ１３＞θ１１）の反射光Ｌ２を生じる。よって、この反射面３１３では、反射光Ｌ２について、「配光」を変化させる光制御が行われる。ただし、反射面３１３の曲率は反射面３１２の曲率よりも小さく、反射面３１２での反射光Ｌ２の配光角θ１２は、反射面３１３での反射光Ｌ２の配光角θ１３よりも広角である（θ１２＞θ１３）。この反射面３１３は、光の略全ての波長成分を反射しており、出力光Ｌ１に対する反射光Ｌ２の光束の変化（減少等）、及びスペクトルの変化は略生じない。
【００６９】
反射面３１４は、図６Ｄに示すように、光吸収材でコーティングされた平面鏡であって、入射した出力光Ｌ１と同等の配光角θ１１の反射光Ｌ２を生じる。この反射面３１４では、光吸収材で光の一部が吸収されるため、反射光Ｌ２について、「光束」を変化（減少）させる光制御が行われる。つまり、反射面３１４は、反射面３１４に入射した出力光Ｌ１に比べて光束が低減（減光）された反射光Ｌ２を生じる。この反射面３１４は、光の略全ての波長成分について一様に吸収かつ反射するため、出力光Ｌ１に対する反射光Ｌ２の「配光」の変化、及びスペクトルの変化は略生じない。図６Ｄにおいて、出力光Ｌ１及び反射光Ｌ２に付した網掛（ドットハッチング）の濃さは光束を概念的に表しており、相対的に薄い網掛を付した反射光Ｌ２は、出力光Ｌ１に比べて光束が低減されていることを表す。
【００７０】
以上説明したように、構造体３１が複数（ここでは４つ）の反射面３１１〜３１４を有し、これら複数の反射面３１１〜３１４間で、照明装置２からの光を反射する面を切り替えることによって、反射光Ｌ２に対する光制御の作用を切り替えることが可能である。結果的に、本実施形態に係る光制御システム１では、光制御で変化させる対象（制御対象）が、配光、光束及びスペクトルのうちの２つ以上の中で切替可能となる。
【００７１】
（２．４）動作例
次に、本実施形態に係る光制御システム１及び照明システム１０の動作例について、図１Ａ〜図１Ｃを参照して説明する。
【００７２】
図１Ａ〜図１Ｃは、それぞれ異なるモードにある光制御システム１にて、植物Ｐ１に光（反射光Ｌ２）を照射する様子を表す模式図である。図１Ａは光制御の機能を無効化した通常モード、図１Ｂは光制御により「配光」を変化させる広角モード、図１Ｃは光制御により「光束」を変化させる減光モードにある光制御システム１の動作を表している。
【００７３】
すなわち、いずれのモードでも、照明システム１０は、照明装置２を点灯させることで、光制御システム１の反射部材３に対して下方から出力光Ｌ１を照射し、反射部材３で下方に向けて反射された光を、反射光Ｌ２として植物Ｐ１に照射する。ここでは、照明装置２は、調光率１００％で点灯していることと仮定する。
【００７４】
図１Ａにおける通常モードでは、光制御システム１は、反射部材３における各構造体３１の複数の反射面３１１〜３１４のうち、平面鏡からなる反射面３１１を、開口孔１１３を通して筐体１１の下面から露出させる。これにより、開口孔１１３内に並ぶ複数の構造体３１の反射面３１１が反射面群を構成し、光制御システム１は、この反射面群にて、照明装置２からの出力光Ｌ１を植物Ｐ１に向けて反射光Ｌ２として反射する。その結果、反射部材３から植物Ｐ１に向かう反射光Ｌ２は、出力光Ｌ１と同等の配光角θ１となる。さらに、複数の反射面３１１からなる反射面群においては、光の略全ての波長成分が反射するため、出力光Ｌ１に対する反射光Ｌ２の光束の変化（減少等）、及びスペクトルの変化は略生じない。
【００７５】
一方、図１Ｂにおける広角モードでは、光制御システム１は、反射部材３における各構造体３１の複数の反射面３１１〜３１４のうち、凸面鏡からなる反射面３１２（又は３１３）を、開口孔１１３を通して筐体１１の下面から露出させる。これにより、開口孔１１３内に並ぶ複数の構造体３１の反射面３１２（又は３１３）が反射面群を構成し、光制御システム１は、この反射面群にて、照明装置２からの出力光Ｌ１を植物Ｐ１に向けて反射光Ｌ２として反射する。その結果、反射光Ｌ２について「配光」を変化させる光制御が行われ、入射した出力光Ｌ１に比べて広角となる配光角θ２の反射光Ｌ２を生じる。つまり、広角モードにおける反射光Ｌ２の配光角θ２は、通常モードにおける反射光Ｌ２の配光角θ１（図１Ａ参照）に比べて広角となり、広角モードの光制御システム１では、比較的広範囲の植物Ｐ１に光（反射光Ｌ２）を照射できる。さらに、複数の反射面３１２（又は３１３）からなる反射面群においては、光の略全ての波長成分が反射するため、出力光Ｌ１に対する反射光Ｌ２の光束の変化（減少等）、及びスペクトルの変化は略生じない。
【００７６】
また、図１Ｃにおける減光モードでは、光制御システム１は、反射部材３における各構造体３１の複数の反射面３１１〜３１４のうち、光吸収材でコーティングされた平面鏡からなる反射面３１４を、開口孔１１３を通して筐体１１の下面から露出させる。これにより、開口孔１１３内に並ぶ複数の構造体３１の反射面３１４が反射面群を構成し、光制御システム１は、この反射面群にて、照明装置２からの出力光Ｌ１を植物Ｐ１に向けて反射光Ｌ２として反射する。その結果、反射光Ｌ２について「光束」を変化（減少）させる光制御（減光）が行われ、入射した出力光Ｌ１に比べて光束が減少した反射光Ｌ２を生じる。つまり、減光モードにおける反射光Ｌ２の光束は、通常モードにおける反射光Ｌ２の光束に比べて低減されることになり、減光モードの光制御システム１では、比較的強度を抑えた光（反射光Ｌ２）を植物Ｐ１に照射できる。さらに、複数の反射面３１４からなる反射面群においては、光の略全ての波長成分について一様に吸収かつ反射するため、出力光Ｌ１に対する反射光Ｌ２の「配光」の変化、及びスペクトルの変化は略生じない。
【００７７】
図１Ｃにおいて、出力光Ｌ１及び反射光Ｌ２に付した網掛（ドットハッチング）の濃さは光束を概念的に表しており、相対的に薄い網掛を付した反射光Ｌ２は、出力光Ｌ１に比べて光束が低減されていることを表す。
【００７８】
上述したような光制御システム１のモードの切替えは、切替部５によって適宜行われる。本実施形態では、切替部５は、操作部材５１を含んでいるため、人Ｈ１が操作部材５１を回転させるように操作することで、上述したようなモードの切替えが実現される。このようなモードの切替えは、一例として、屋内空間Ａ１の環境（例えば、照度（明るさ）、人Ｈ１の存否、時間帯、気温、季節及び天候等）に応じて行われる。また、例えば、植物Ｐ１の種類又は植物Ｐ１の生長等に合わせて、光制御システム１のモードが切り替えられてもよい。
【００７９】
ここにおいて、本実施形態に係る光制御システム１は、植物エリアＡ１１（図３参照）と人エリアＡ１２（図３参照）とのうち植物エリアＡ１１に照射する反射光Ｌ２についてのみ光制御を行う。すなわち、光制御システム１は、つまり配光、光束及びスペクトルのうちの少なくとも１つを変化させる光制御は、特に、植物Ｐ１に照射するのに適した光を実現するための光制御である。そのため、光制御された反射光Ｌ２は、植物エリアＡ１１と人エリアＡ１２とのうち植物エリアＡ１１にのみ照射すればよい。このように、光制御された反射光Ｌ２が照射するエリアを植物エリアＡ１１のみに制限する、「エリア制限機能」によって、光制御された反射光Ｌ２が人エリアＡ１２に照射することを抑制できる。したがって、光制御システム１は、人Ｈ１と植物Ｐ１とが共存する屋内空間Ａ１に用いながらも、人エリアＡ１２の照明には影響を与えずに、植物Ｐ１に適した光を照射することが可能になる。
【００８０】
このようなエリア制限機能は、一例として、遮光フィルタによって実現可能である。すなわち、例えば、反射面群を構成する複数の反射面のうち、人エリアＡ１２に対応する反射面にのみ遮光フィルタが取り付けられることで、反射部材３で反射される反射光Ｌ２の一部を遮光できる。これにより、人エリアＡ１２に照射する光（反射光Ｌ２）を遮光し、植物エリアＡ１１のみに光制御された光（反射光Ｌ２）が到達することで、エリア制限機能が実現される。あるいは、例えば、反射面群を構成する複数の反射面のうち、人エリアＡ１２に対応する反射面についてのみ光制御の機能を無効化する（反射面３１１とする）ことで、光制御される反射光Ｌ２が届く範囲を制限できる。これにより、人エリアＡ１２に照射する光（反射光Ｌ２）については光制御の機能を無効にし、植物エリアＡ１１のみに光制御された光（反射光Ｌ２）が到達することで、エリア制限機能が実現される。
【００８１】
また、本実施形態に係る照明システム１０においては、照明装置２は、上述したように屋内空間Ａ１の環境に関する環境情報と、光制御の実行状況に関する制御情報と、の少なくとも一方に応じて、調光制御を行う。本実施形態では特に、照明装置２は、検知部２３の検知結果（環境情報）に基づいて、調光制御を実行する。
【００８２】
検知部２３は、屋内空間Ａ１における照明装置２が設置された領域の照度と、その周辺の人Ｈ１の存否と、を検知可能である。そこで、照明装置２は、一例として、屋内空間Ａ１における照明装置２が設置された領域の照度、つまり植物Ｐ１の周辺の照度が低くなる程、調光率を高くすることで、照明システム１０から植物Ｐ１に照射する光の強度を高くする（明るくする）。また、照明装置２は、一例として、植物Ｐ１の周辺に人Ｈ１が存在すると、存在しない場合に比較して、調光率を高くすることで、照明システム１０から植物Ｐ１に照射する光の強度を高くする（明るくする）。
【００８３】
この例に限らず、照明装置２は、例えば、時間帯、気温、季節及び天候等の環境情報に応じて調光制御を行うことで、環境情報によって、照明システム１０から植物Ｐ１に照射する光の強度を調節してもよい。
【００８４】
あるいは、照明装置２は、例えば、光制御システム１の光制御の実行状況に関する制御情報に応じて調光制御を行うことで、制御情報によって、照明システム１０から植物Ｐ１に照射する光の強度を調節してもよい。一例として、照明装置２は、光制御システム１のモードが広角モードであれば、減光モードである場合に比較して、調光率を高くすることで、照明システム１０から植物Ｐ１に照射する光の強度を高くする（明るくする）。
【００８５】
また、例えば、植物Ｐ１の種類又は植物Ｐ１の生長等に合わせて、調光制御が行われてもよい。
【００８６】
ところで、本実施形態に係る照明システム１０では、照明装置２は、図７に示すような特性の光を出力可能である。図７では、横軸を波長、縦軸を網膜の視細胞から出力される相対分光パワーとして、人Ｈ１の視感度を考慮した出力光Ｌ１についての特性を表している。曲線Ｘ１は、白色光を出力する第１発光素子２１１の相対分光パワーに人視感効率（Ｖλ）を乗じた値を示し、曲線Ｘ２は、赤色光を出力する第２発光素子２１２の相対分光パワーに人視感効率（Ｖλ）を乗じた値を示している。第２発光素子２１２は、６６０ｎｍ付近にピーク波長を有するため、曲線Ｘ２のピーク波長λ２は略６６０ｎｍである。一方、第１発光素子２１１は白色光を出力するため、曲線Ｘ１のピーク波長λ１は略５６０ｎｍである。曲線Ｘ１のピーク波長λ１（略５６０ｎｍ）における人視感効率（Ｖλ）を乗じた相対分光パワーＹ１は、曲線Ｘ２のピーク波長λ２（略６６０ｎｍ）における人視感効率（Ｖλ）を乗じた相対分光パワーＹ２の２倍以上である。
【００８７】
図７に示すような特性によれば、人Ｈ１が視感できる人視感効率に応じた曲線Ｘ１（白色光に対応）及び曲線Ｘ２（赤色光に対応）の積分比（面積比）は略１０：１となり、人Ｈ１は、赤色を感じないか、又はうっすらと感じることになる。このようなスペクトルの光を植物Ｐ１に照射することで、植物Ｐ１の光合成を促進しつつ、白色に対して赤色が多すぎて白色系の花が赤っぽく、緑色の葉又は茎が黒っぽく見えてしまう変色を抑止しやすくなる。つまり、上述したスペクトルによれば、人Ｈ１が赤みを感じにくくして植物Ｐ１の見映えをよくしつつも、植物Ｐ１の光合成及び花芽形成に有効な赤色成分（６６０ｎｍ付近の成分）を残すことで、白色光単独の場合に比べて植物育成に有効な光照射が行える。
【００８８】
図７に例示するような特性を実現するために、照明装置２は、赤色光を出力する第２発光素子２１２からの放射エネルギーの出力を、白色光を出力する第１発光素子２１１からの放射エネルギーの出力の１／２以下とすることが好ましい。ここでいう「放射エネルギー」とは、光源である第１発光素子２１１又は第２発光素子２１２から空間に移動するエネルギーを意味し、単位にはジュール（Ｊ）等が用いられる。図７では一例として、赤色光を出力する第２発光素子２１２からの放射エネルギーの出力が、白色光を出力する第１発光素子２１１からの放射エネルギーの出力の略１／２である。
【００８９】
（３）変形例
実施形態１は、本開示の様々な実施形態の一つに過ぎない。実施形態１は、本開示の目的を達成できれば、設計等に応じて種々の変更が可能である。本開示において説明する各図は、模式的な図であり、各図中の各構成要素の大きさ及び厚さそれぞれの比が、必ずしも実際の寸法比を反映しているとは限らない。
【００９０】
以下、実施形態１の変形例を列挙する。以下に説明する変形例は、適宜組み合わせて適用可能である。
【００９１】
光制御システム１及び照明システム１０は、オフィスに限らず、例えば、店舗、学校、工場、福祉施設、病院若しくは植物栽培施設等の非住宅施設、又は戸建て住宅若しくは集合住宅等の住宅施設に用いられてもよい。
【００９２】
また、光制御システム１は、１つ以上の反射部材３を備えていればよく、複数の反射部材３を備えていてもよい。そして、光制御システム１が複数の反射部材３を備える場合、これら複数の反射部材３の少なくとも１つが天井１０２に設置され、残りの反射部材３が天井１０２以外に設置されてもよい。一例として、光制御システム１が２つの反射部材３を備える場合に、一方の反射部材３が壁に設置され、他方の反射部材３が天井１０２に設置される。この構成において、照明装置２の出力される光は、壁に設置された反射部材３に照射し、この反射部材３にて、天井１０２に設置された反射部材３に向けて反射され、最終的に、天井１０２に設置された反射部材３にて、植物Ｐ１に向けて反射される。
【００９３】
また、１つの照明システム１０が、１つの光制御システム１に対して、複数の照明装置２を複数備えていてもよい。この場合、複数の照明装置２が１つの光制御システム１に向けて光を出力することで、複数の照明装置２から出力された出力光Ｌ１を、反射光Ｌ２として、１つの植物Ｐ１に間接的に照射することが可能である。
【００９４】
また、照明システム１０は、１箇所に配置された植物Ｐ１に対して１つ設置される構成に限らず、例えば、１つの照明システム１０が、複数箇所に配置された複数の植物Ｐ１に対して光を照射してもよい。この場合、光制御システム１は、例えば、１つの照明装置２から出力された光を、反射部材３にて複数箇所の植物Ｐ１に向けて反射することで、複数箇所の植物Ｐ１に対して光を照射することができる。あるいは、光制御システム１は、例えば、複数箇所の植物Ｐ１に対して順次光が照射されるように、反射部材３にて光を反射する方向を、時間経過に伴って順次変更してもよい。
【００９５】
また、実施形態１では、光制御システム１は、その動作に電力（電気エネルギー）を必要としないが、これに限らず、光制御システム１は電力（電気エネルギー）を用いて動作する構成であってもよい。この場合、光制御システム１は、例えば、コンセント（Outlet）、引掛シーリングローゼット、天井裏配線又は配線ダクト等により、電源に電気的に接続される。この場合、光制御システム１は、例えば、切替部５として、操作部材５１に代えて、モータを採用することにより、光制御部４の機能切替を自動化することが可能である。つまり、光制御システム１は、電源から電力の供給を受けてモータを駆動し、モータで発生した動力を、ベルト１８を介して歯車１４に伝達することで、構造体３１を回転させることができる。さらに、この場合において、光制御システム１は、外部から電力が供給される構成に限らず、例えば、蓄電池等を搭載した、電池駆動型であってもよい。
【００９６】
また、光制御システム１は、その全体を露出させた状態で天井１０２に取り付けられる構成に限らず、適宜の態様で天井１０２に取り付けられてもよい。例えば、光制御システム１は少なくとも下面が露出するように、天井１０２に埋込設置されてもよい。この場合、ダウンライト等と同様に、光制御システム１は、天井１０２を構成する天井パネルに形成された施工孔に挿入された状態で、天井１０２に固定されることになる。
【００９７】
また、反射部材３における構造体３１の形状は、立方体に限らない。例えば、実施形態１では、３つの構造体３１が１本の回転軸１３にて連結されているが、１本の回転軸１３にて連結される構造体３１は、そもそも１つであってもよく、この場合に、構造体３１は、例えば、回転軸１３に沿って長い直方体状であってもよい。また、構造体３１が有する反射面の数も４つに限らず、構造体３１は、例えば、３つの反射面を有する三角柱状、５つの反射面を有する五角柱状、６つの反射面を有する六角柱状、又は七角柱以上の多角柱状であってもよい。さらに、構造体３１は角柱状に限らず円柱状等でもよい。
【００９８】
また、反射部材３は、構造体３１を複数有する構成に限らず、構造体３１を１つのみ有していてもよい。
【００９９】
また、図６Ａ〜図６Ｄに例示した、各反射面３１１〜３１４の機能は一例に過ぎず、各反射面３１１〜３１４に付与される光制御の機能は、適宜変更可能である。例えば、複数の反射面３１１〜３１４の全てが「光束」を変化させる光制御の機能を有し、複数の反射面３１１〜３１４のそれぞれで「光束」を減少させる度合い（減光度）が異なっていてもよい。さらに、複数の反射面３１１〜３１４の全てが「配光」を変化させる光制御の機能を有し、複数の反射面３１１〜３１４のそれぞれで「配光」を変化させる度合い（つまり、反射光Ｌ２の配光角）が異なっていてもよい。
【０１００】
また、実施形態１では、光制御部４が、反射光Ｌ２について、配光又は光束を変化させる光制御を行う場合を例示したが、この構成に限らない。例えば、光制御部４が、反射光Ｌ２について、配光及び光束の両方を変化させる光制御を行ってもよいし、スペクトルを変化させる光制御を行ってもよい。例えば、図６Ａ〜図６Ｄの例では、複数の反射面３１１〜３１４のいずれも、反射光Ｌ２についてスペクトルの変化は略生じないが、これに限らず、複数の反射面３１１〜３１４の少なくとも１つが「スペクトル」を変化させる光制御の機能を有していてもよい。一例として、ある反射面３１１が、特定の波長成分の光を吸収する光吸収材でコーティングされた平面鏡であれば、反射光Ｌ２においては、特定の波長成分についてのみ光強度が低下することで、スペクトルの変化が生じることになる。
【０１０１】
さらに、光制御部４が、スペクトルを変化させる光制御を行う場合、反射光Ｌ２について、図７に示すような特性を再現することが好ましい。図７に示すような特性は、植物Ｐ１に照射される反射光Ｌ２について、赤色光の放射エネルギーを、白色光の放射エネルギーの１／２以下とすることで再現される。言い換えれば、光制御システム１は、光制御でスペクトルを変化させる場合、反射光Ｌ２について、赤色光の放射エネルギーが、白色光の放射エネルギーの１／２以下となるように、スペクトルを変化させることが好ましい。この場合、反射光Ｌ２について、赤色光の放射エネルギーが、白色光の放射エネルギーの略１／２であることがより好ましい。言い換えれば、植物Ｐ１に照射される反射光Ｌ２について、白色光の放射エネルギーは、赤色光の放射エネルギーの略２倍となる。これにより、人Ｈ１が赤みを感じにくくして植物Ｐ１の見映えをよくしつつも、植物Ｐ１の光合成及び花芽形成に有効な赤色成分（６６０ｎｍ付近の成分）を残すことで、白色光単独の場合に比べて植物育成に有効な光照射が行える。
【０１０２】
また、反射部材３に含まれる複数の構造体３１のうちの全てが、複数の反射面３１１〜３１４のうちの同一の反射面を筐体１１の下面から露出させることは必須ではない。例えば、反射部材３に含まれる複数の構造体３１のうち、一部の構造体３１は反射面３１２を筐体１１の下面から露出、残りの構造体３１は別の反射面３１４を筐体１１の下面から露出させてもよい。一例として、開口孔１１３内に並ぶ複数の構造体３１が構成する反射面群には、反射面３１２と反射面３１４とが混在することになり、反射面群全体としては、「配光」を変化させる光制御の機能と、「光束」を変化させる光制御の機能と、を有することになる。
【０１０３】
また、実施形態１では、照明装置２は床１０１に対して特に固定されていないが、この構成に限らず、例えば、ねじ止め、接着又はマグネット等の適宜の手段により、照明装置２が床１０１に固定されていてもよい。
【０１０４】
また、照明装置２は、床１０１に設置される構成に限らず、例えば、壁、天井、柱、扉若しくは階段等、又は机、収納棚若しくはパーテーション等の什器に設置されていてもよい。反射部材３についても同様に、天井１０２に設置される構成に限らず、例えば、壁、床、柱、扉若しくは階段等、又は机、収納棚若しくはパーテーション等の什器に設置されていてもよい。
【０１０５】
また、植物Ｐ１は、什器上に配置されていなくてもよく、照明装置２と同様に床１０１に設置されていてもよいし、床１０１に限らず、例えば、壁、天井、柱、扉若しくは階段等に設置されていてもよい。
【０１０６】
また、照明装置２は、外部から電力が供給される構成に限らず、例えば、蓄電池等を搭載した、電池駆動型であってもよい。
【０１０７】
（実施形態２）
本実施形態に係る光制御システム１Ａは、図８に示すように、１以上の反射部材３と別に、光制御を行う光制御部４を備える点で、実施形態１に係る光制御システム１と相違する。光制御システム１Ａは、照明装置２と共に、照明システム１０Ａを構成する。以下、実施形態１と同様の構成については、共通の符号を付して適宜説明を省略する。
【０１０８】
本実施形態では、光制御部４は、照明装置２から出て植物Ｐ１に照射される光の光路上に配置されており、照明装置２から植物Ｐ１に向かう光を透過させる。そして、光制御部４は、光制御部４を透過する光について、配光、光束及びスペクトルのうちの少なくとも１つを変化させる光制御を行う。これにより、植物Ｐ１に対しては、光制御された反射光Ｌ２が照射することになる。
【０１０９】
特に、本実施形態では、空調装置から出た風が対象（人）に直接的に当たることを避けるために空調装置の吹出し口の前方（対象側）に設置される「風よけ」のように、光制御部４は、反射部材３の対象（植物Ｐ１）側に配置される。つまり、光制御部４は、反射部材３と植物Ｐ１との間に配置されている。これにより、反射部材３で反射された反射光Ｌ２は、直接的に植物Ｐ１に照射するのではなく、光制御部４を通して植物Ｐ１に照射することになる。そして、反射光Ｌ２が光制御部４を透過する際に、光制御部４は、反射光Ｌ２について、配光、光束及びスペクトルのうちの少なくとも１つを変化させる光制御を行う。これにより、植物Ｐ１に対しては、光制御された反射光Ｌ２が照射することになる。
【０１１０】
図８では一例として、光制御システム１Ａは広角モードである。そのため、光制御部４は、反射光Ｌ２について「配光」を変化させる光制御を行い、出力光Ｌ１に比べて広角となる配光角θ２の反射光Ｌ２を生じる。
【０１１１】
また、実施形態２の変形例として、光制御部４は、照明装置２と反射部材３との間に配置されていてもよい。この場合、光制御部４は、照明装置２から反射部材３に向かう出力光Ｌ１を透過させ、出力光Ｌ１について、配光、光束及びスペクトルのうちの少なくとも１つを変化させる光制御を行う。これにより、反射部材３に対しては光制御された出力光Ｌ１が入射し、結果的に、植物Ｐ１に対しては、光制御された反射光Ｌ２が照射することになる。
【０１１２】
実施形態２で説明した種々の構成（変形例を含む）は、実施形態１で説明した種々の構成（変形例を含む）と適宜組み合わせて採用可能である。
【０１１３】
（まとめ）
以上説明したように、第１の態様に係る光制御システム（１，１Ａ）は、屋内空間（Ａ１）に配置された植物（Ｐ１）に光を照射するためのシステムである。光制御システム（１，１Ａ）は、１以上の反射部材（３）を備える。１以上の反射部材（３）は、照明装置（２）及び植物（Ｐ１）のいずれよりも上方に配置されており、照明装置（２）からの光を植物（Ｐ１）に向けて反射光（Ｌ２）として反射する。光制御システム（１，１Ａ）は、反射光（Ｌ２）に対して、配光、光束及びスペクトルのうちの少なくとも１つを変化させる光制御を行い、光制御された反射光（Ｌ２）を植物（Ｐ１）に照射する。
【０１１４】
この態様によれば、照明装置（２）及び植物（Ｐ１）のいずれよりも上方に位置する１以上の反射部材（３）にて反射した反射光（Ｌ２）が植物（Ｐ１）に照射される。そのため、照明装置（２）自体は植物（Ｐ１）の上方になくても、植物（Ｐ１）に対して上方から光を照射することができる。しかも、光制御システム（１，１Ａ）にて適当な光制御が施された反射光（Ｌ２）が、植物（Ｐ１）に照射される。そのため、照明装置（２）自体は植物（Ｐ１）の育成用に設計された専用装置でなくても、植物（Ｐ１）の育成に適した光を、植物（Ｐ１）に照射することができる。要するに、光制御システム（１，１Ａ）によれば、照明装置（２）からの光を直接的に植物（Ｐ１）に照射する場合に比較して、照明装置（２）の配置及び仕様等についての自由度を高めることができ、照明設計の自由度の向上を図りやすくなる。
【０１１５】
第２の態様に係る光制御システム（１，１Ａ）では、第１の態様において、１以上の反射部材（３）の少なくとも１つは、天井（１０２）に設置される。
【０１１６】
この態様によれば、１以上の反射部材（３）の少なくとも１つは、天井（１０２）に設置されるので、床（１０１）等に設置される場合に比較して邪魔になりにくい。
【０１１７】
第３の態様に係る光制御システム（１，１Ａ）では、第１又は２の態様において、光制御で変化させる対象は、配光、光束及びスペクトルのうちの２つ以上の中で切替可能である。
【０１１８】
この態様によれば、例えば、屋内空間（Ａ１）の環境、植物（Ｐ１）の種類又は植物（Ｐ１）の生長等に合わせて、光制御で変化させる対象を切り替えることで、植物（Ｐ１）の育成により適した光を植物（Ｐ１）に照射しやすくなる。
【０１１９】
第４の態様に係る光制御システム（１，１Ａ）では、第３の態様において、１以上の反射部材（３）は、それぞれが異なる光制御に対応した複数の反射面（３１１〜３１４）を有する構造体（３１）を含む。１以上の反射部材（３）は、複数の反射面（３１１〜３１４）のいずれかで光を反射する際に光制御を実行し、照明装置（２）からの光を反射する面を複数の反射面（３１１〜３１４）の中で切り替えることにより、光制御で変化させる対象を切り替える。
【０１２０】
この態様によれば、例えば、構造体（３１）を回転させて、照明装置（２）からの光を反射する面を複数の反射面（３１１〜３１４）の中で切り替えることにより、比較的簡単な構成で、光制御で変化させる対象を切り替えることができる。
【０１２１】
第５の態様に係る光制御システム（１，１Ａ）では、第１〜３のいずれかの態様において、１以上の反射部材（３）が、光を反射する際に光制御を実行する。
【０１２２】
この態様によれば、１以上の反射部材（３）が光制御の機能を兼ね備えるため、１以上の反射部材（３）と別に光制御の機能を有する部材を設ける必要がなく、構成の簡略化を図ることが可能である。
【０１２３】
第６の態様に係る光制御システム（１，１Ａ）は、第１〜５のいずれかの態様において、光制御でスペクトルを変化させる場合、反射光（Ｌ２）について、赤色光の放射エネルギーが、白色光の放射エネルギーの１／２以下となるように、スペクトルを変化させる。
【０１２４】
この態様によれば、人（Ｈ１）が赤みを感じにくくして植物（Ｐ１）の見映えをよくしつつも、植物（Ｐ１）の光合成及び花芽形成に有効な赤色成分を残すことで、白色光単独の場合に比べて植物育成に有効な光照射が行える。
【０１２５】
第７の態様に係る光制御システム（１，１Ａ）では、第１〜６のいずれかの態様において、屋内空間（Ａ１）は、植物（Ｐ１）が配置される植物エリア（Ａ１１）と、植物エリア（Ａ１１）とは別に人（Ｈ１）が存在する人エリア（Ａ１２）と、を含んでいる。光制御システム（１，１Ａ）は、植物エリア（Ａ１１）と人エリア（Ａ１２）とのうち植物エリア（Ａ１１）に照射する反射光（Ｌ２）についてのみ光制御を行う。
【０１２６】
この態様によれば、光制御された反射光（Ｌ２）が人エリア（Ａ１２）に照射することを抑制できる。したがって、人（Ｈ１）と植物（Ｐ１）とが共存する屋内空間（Ａ１）にあっても、人エリア（Ａ１２）の照明には影響を与えずに、植物（Ｐ１）に適した光を照射することが可能になる。
【０１２７】
第８の態様に係る照明システム（１０，１０Ａ）は、第１〜７のいずれかの態様に係る光制御システム（１，１Ａ）と、照明装置（２）と、を備える。
【０１２８】
この態様によれば、照明装置（２）及び植物（Ｐ１）のいずれよりも上方に位置する１以上の反射部材（３）にて反射した反射光（Ｌ２）が植物（Ｐ１）に照射される。そのため、照明装置（２）自体は植物（Ｐ１）の上方になくても、植物（Ｐ１）に対して上方から光を照射することができる。しかも、光制御システム（１，１Ａ）にて適当な光制御が施された反射光（Ｌ２）が、植物（Ｐ１）に照射される。そのため、照明装置（２）自体は植物（Ｐ１）の育成用に設計された専用装置でなくても、植物（Ｐ１）の育成に適した光を、植物（Ｐ１）に照射することができる。要するに、照明システム（１０，１０Ａ）によれば、照明装置（２）からの光を直接的に植物（Ｐ１）に照射する場合に比較して、照明装置（２）の配置及び仕様等についての自由度を高めることができ、照明設計の自由度の向上を図りやすくなる。
【０１２９】
第９の態様に係る照明システム（１０，１０Ａ）では、第８の態様において、照明装置（２）は、１以上の反射部材（３）に対して出力する光について調光制御を行う。
【０１３０】
この態様によれば、調光制御により、植物（Ｐ１）に照射する反射光（Ｌ２）の光束を変化させつつ、光制御システム（１，１Ａ）での光損失を低減することができる。
【０１３１】
第１０の態様に係る照明システム（１０，１０Ａ）では、第８又は９の態様において、照明装置（２）は、屋内空間（Ａ１）の環境に関する環境情報と、光制御の実行状況に関する制御情報と、の少なくとも一方に応じて、調光制御を行う。
【０１３２】
この態様によれば、屋内空間（Ａ１）の環境と、光制御の実行状況と、の少なくとも一方に適した明るさの光を、植物（Ｐ１）に照射することができる。
【０１３３】
第２〜７の態様に係る構成については、光制御システム（１，１Ａ）に必須の構成ではなく、適宜省略可能である。第９又は１０の態様に係る構成については、照明システム（１０，１０Ａ）に必須の構成ではなく、適宜省略可能である。
【符号の説明】
【０１３４】
１，１Ａ  光制御システム
２  照明装置
３  反射部材
１０，１０Ａ  照明システム
３１  構造体
１０２  天井
３１１〜３１４  反射面
Ａ１  屋内空間
Ａ１１  植物エリア
Ａ１２  人エリア
Ｈ１  人
Ｌ２  反射光
Ｐ１  植物
【図１】
2020156432.tif 000003
【図２】
2020156432.tif 000004
【図３】
2020156432.tif 000005
【図４】
2020156432.tif 000006
【図５】
2020156432.tif 000007
【図６】
2020156432.tif 000008
【図７】
2020156432.tif 000009
【図８】
2020156432.tif 000010